(57)【要約】【課題】アンテナ長を容易に調節することができるアンテナ及び電子機器を提供すること。【解決手段】アンテナケース５２と、アンテナケース５２内に収納されるロッド５３，５４と、ロッド５４の先端に取り付けられるアンテナトップ５５とを備えた多段式のアンテナ５であって、アンテナケース５２は、断面略多角形の略角柱状を有し、アンテナトップ５５は、アンテナケース５２に合わせた断面略多角形の略角柱状を有し、アンテナケース５２及びアンテナトップ５５の互いに対向する面５２２５，５５１は、ロッド５３，５４をアンテナケース内に収納した際に互いに当接する当接面である。これによれば、アンテナケース５２及びアンテナトップ５５を掴みやすくすることができ、アンテナ長を容易に調節することができるとともに、１つの角柱状体と見ることができるので、デザイン性を向上できる。【選択図】図５
2008193437.tif 000002
【特許請求の範囲】
【請求項１】
アンテナケースと、当該アンテナケース内に収納される少なくとも１段のロッドと、当該ロッドの先端に取り付けられるアンテナトップとを備えた多段式のアンテナであって、
前記アンテナケースは、断面略多角形の略角柱状に形成され、
前記アンテナトップは、前記アンテナケースに合わせて断面略多角形の略角柱状に形成され、
前記アンテナケース及び前記アンテナトップの互いに対向する面は、前記ロッドを前記アンテナケース内に収納した際に互いに当接する当接面であることを特徴とするアンテナ。
【請求項２】
請求項１に記載のアンテナにおいて、
前記アンテナケースは、
前記ロッドを内部に収納するロッド収納部材と、
前記ロッド収納部材の外面を覆うケース部材とを備えることを特徴とするアンテナ。
【請求項３】
請求項２に記載のアンテナにおいて、
前記ケース部材は、金属を含まない合成樹脂により形成されていることを特徴とするアンテナ。
【請求項４】
請求項２または請求項３に記載のアンテナにおいて、
前記ロッドは、略円筒状に形成され、
前記ロッド収納部材は、前記ロッドの外形に沿った内部形状を有することを特徴とするアンテナ。
【請求項５】
所定の周波数の電波を受信して、当該電波に係る信号を処理する電子機器であって、
請求項１から請求項４のいずれかに記載のアンテナを備えることを特徴とする電子機器。
【請求項６】
請求項５に記載の電子機器において、
前記アンテナが外部に露出した状態で取り付けられる筐体を備え、
前記アンテナは、前記筐体に取り付けられ、かつ、前記アンテナケースを回動自在に支持する接続部を備え、
前記アンテナは、前記アンテナケースの当接面と、前記アンテナトップの当接面とを互いに当接させた際に、前記ロッドの引出方向に沿い、かつ、互いに交差する第１の外面及び第２の外面を有し、
前記筐体は、
前記第１の外面が当接する第１の面と、
当該第１の面に交差する第２の面と、
前記第１の面及び前記第２の面にそれぞれ交差する第３の面とを有し、
前記第２の面及び前記第３の面のうち、少なくともいずれかは、前記第１の外面を前記第１の面に当接させた際に、前記第２の外面、及び、前記アンテナトップにおける前記引出方向の先端面のうちのいずれかと面一となるように形成されていることを特徴とする電子機器。
【請求項７】
請求項６に記載の電子機器において、
前記第１の面における前記第２の面とは反対側には、当該第１の面の面外方向に起立して、前記第１の外面が前記第１の面に沿った状態での前記反対側への前記アンテナケースの回動を規制する回動規制部が形成されていることを特徴とする電子機器。
【請求項８】
請求項７に記載の電子機器において、
前記接続部は、前記第１の面に取り付けられ、
前記回動規制部は、前記回動規制部の前記面外方向の先端面と、前記アンテナにおける前記第１の外面に略平行な第３の外面とが面一となるように、前記第１の面における前記アンテナの配置領域の略全てに亘る板状に形成されていることを特徴とする電子機器。
【請求項９】
請求項７または請求項８に記載の電子機器において、
前記第２の面は、当該電子機器の背面側に位置し、
前記回動規制部は、前記アンテナの正面側への回動を規制する寸法を有することを特徴とする電子機器。
【発明の詳細な説明】
【技術分野】
【０００１】
本発明は、アンテナケースと、当該アンテナケース内に収納される少なくとも１つのロッドと、当該ロッドの先端に取り付けられるアンテナトップとを備えた多段式のアンテナ、及び、当該アンテナを備える電子機器に関する。
【背景技術】
【０００２】
従来、複数のロッドを備え、受信する電波の周波数に応じてアンテナ長を調節可能に構成された多段式のアンテナが知られている。このようなアンテナとして、携帯電話機に用いられるアンテナが知られている（例えば、特許文献１参照）。
この特許文献１に記載の従来のアンテナは、筐体に設けられたホルダを挿通して、当該筐体から突没するアンテナケース（ストッパ部）と、当該アンテナケース内に摺動自在な状態で挿入されるロッド（エレメント）と、当該ロッドの端部に設けられるジョイントモールドと、当該ジョイントモールドの先端に設けられるアンテナトップ（キャップ）とを備えて構成されている。そして、このアンテナは、アンテナケースとロッドとで二段階に伸張することで、アンテナ長を調節可能に構成されている。
【０００３】
このようなアンテナでは、アンテナケースを円筒状に形成することが多い。これは、アンテナケースを円筒状とすることで、当該アンテナケース内に収納されるロッドの摺動（摩擦）係数を小さくして、当該ロッドを引き出しやすくするためである。また、アンテナケースを円柱状とすることにより、製造コストの低減や生産効率の向上を図っている。
【０００４】
【特許文献１】特開２００３−３２０１８号公報
【発明の開示】
【発明が解決しようとする課題】
【０００５】
しかしながら、前述のアンテナでは、アンテナケースが円筒状に形成されているため、ロッドの引き出し時に、指がアンテナケースにかかりづらいという問題がある。すなわち、ロッドの摺動係数は低いものの、アンテナケースと指との摩擦係数も小さくなってしまうため、アンテナケースからロッドを引き出しづらいという問題がある。
【０００６】
本発明の目的は、アンテナ長を容易に調節することができる多段式のアンテナ及び電子機器を提供することである。
【課題を解決するための手段】
【０００７】
前記した目的を達成するために、本発明のアンテナは、アンテナケースと、当該アンテナケース内に収納される少なくとも１段のロッドと、当該ロッドの先端に取り付けられるアンテナトップとを備えた多段式のアンテナであって、前記アンテナケースは、断面略多角形の略角柱状に形成され、前記アンテナトップは、前記アンテナケースに合わせて断面略多角形の略角柱状に形成され、前記アンテナケース及び前記アンテナトップの互いに対向する面は、前記ロッドを前記アンテナケース内に収納した際に互いに当接する当接面であることを特徴とする。
【０００８】
本発明によれば、アンテナケース及びアンテナトップがそれぞれ略角柱状に形成されているので、当該アンテナケース及びアンテナトップの角部に指をかけやすくすることができる。これによれば、アンテナケース及びアンテナトップを摘んで、当該アンテナケースに対するロッドの引出及び収納を容易に行うことができる。従って、アンテナ長を容易に調節することができる。
さらに、アンテナケース及びアンテナトップには、それぞれ対向し、かつ、互いに当接する当接面が形成されており、各当接面の断面は、同一の多角形状及び寸法に揃えられている。これによれば、ロッドをアンテナケースに収納した際に、アンテナを１つの角柱状体と見ることができる。従って、アンテナの外観を良好にすることができ、当該アンテナのデザイン性を向上することができる。
【０００９】
本発明では、前記アンテナケースは、前記ロッドを内部に収納するロッド収納部材と、前記ロッド収納部材の外面を覆うケース部材とを備えることが好ましい。
本発明によれば、アンテナケースがロッド収納部材と、当該ロッド収納部材を被覆するケース部材とを備えていることにより、アンテナケースが一体品である場合に比べ、当該アンテナケースの強度を向上することができる。また、これにより、ケース部材に物等が当たって衝撃が加わった場合でも、当該ケース部材の内部に配置されるロッド収納部材及びロッドの損傷を抑えることができる。従って、ロッドの摺動動作、すなわち、アンテナ長の調節動作が妨げられることを防ぐことができる。
【００１０】
本発明では、前記ケース部材は、金属を含まない合成樹脂により形成されていることが好ましい。
本発明によれば、ケース部材が合成樹脂で形成されていることにより、アンテナを軽量化することができる。また、当該合成樹脂に金属が含まれる場合には、当該金属により電波の受信が干渉されてしまうが、金属を含まない合成樹脂によりケース部材が形成されていることにより、アンテナによる受信状態を良好にすることができる。
また、ケース部材が合成樹脂で形成されていることにより、当該ケース部材に印刷及び塗装を容易に施すことができる。従って、アンテナのデザイン性を一層向上することができる。
【００１１】
本発明では、前記ロッドは、略円筒状に形成され、前記ロッド収納部材は、前記ロッドの外形に沿った内部形状を有することが好ましい。
本発明によれば、ロッドが略円筒状に形成され、当該ロッドが収納されるロッド収納部材の内部形状が、ロッドに応じた形状であることにより、ロッドの摺動係数を小さくすることができ、これにより、当該ロッドの引出時及び収納時の抵抗を小さくすることができる。従って、アンテナ長の調節を一層容易に行うことができる。
【００１２】
また、本発明の電子機器は、所定の周波数の電波を受信して、当該電波に係る信号を処理する電子機器であって、前述のアンテナを備えることを特徴とする。
本発明によれば、前述のアンテナと同様の効果を奏することができる。
すなわち、アンテナケース及びアンテナトップがそれぞれ略角柱形状を有していることにより、それぞれに指を掛け易くすることができるので、アンテナ長の調節を容易に行うことができる。また、当該アンテナケース及びアンテナトップの形状が揃えられているので、アンテナを１つの角柱状体と見ることができ、当該アンテナ、ひいては、電子機器の外観を良好にすることができる。
【００１３】
本発明では、前記アンテナが外部に露出した状態で取り付けられる筐体を備え、前記アンテナは、前記筐体に取り付けられ、かつ、前記アンテナケースを回動自在に支持する接続部を備え、前記アンテナは、前記アンテナケースの当接面と、前記アンテナトップの当接面とを互いに当接させた際に、前記ロッドの引出方向に沿い、かつ、互いに交差する第１の外面及び第２の外面を有し、前記筐体は、前記第１の外面が当接する第１の面と、当該第１の面に交差する第２の面と、前記第１の面及び前記第２の面にそれぞれ交差する第３の面とを有し、前記第２の面及び前記第３の面のうち、少なくともいずれかは、前記第１の外面を前記第１の面に当接させた際に、前記第２の外面、及び、前記アンテナトップにおける前記引出方向の先端面のうちのいずれかと面一となるように形成されていることが好ましい。
【００１４】
本発明によれば、アンテナの第１の外面を、電子機器の筐体の第１の面に沿わせた際に、筐体の第２の面及び第３の面の少なくともいずれかが、アンテナケースの第２の外面及びアンテナトップの先端面のいずれかと面一になる。すなわち、アンテナの第２の外面と筐体の第２の面とが面一となる状態、及び、アンテナトップの先端面と筐体の第３の面とが面一となる状態の少なくともいずれかの状態となる。これによれば、電子機器の凹凸を少なくすることができ、当該電子機器のデザイン性を一層向上することができるほか、電子機器の携帯性を向上することができる。
【００１５】
本発明では、前記第１の面における前記第２の面とは反対側には、当該第１の面の面外方向に起立して、前記第１の外面が前記第１の面に沿った状態での前記反対側への前記アンテナケースの回動を規制する回動規制部が形成されていることが好ましい。
本発明によれば、アンテナの第１の外面が沿う筐体の第１の面に、当該第１の面から起立する回動規制部が形成されていることにより、回動規制部に近接する方向へのアンテナの回動が規制される。これによれば、アンテナの第１の外面を筐体の第１の面に沿わせた際に、アンテナケースが不要に回動して筐体の外面から突出することを防ぐことができる。従って、電子機器の携帯性を一層向上することができる。
【００１６】
本発明では、前記接続部は、前記第１の面に取り付けられ、前記回動規制部は、前記回動規制部の前記面外方向の先端面と、前記アンテナにおける前記第１の外面に略平行な第３の外面とが面一となるように、前記第１の面における前記アンテナの配置領域の略全てに亘る板状に形成されていることが好ましい。
本発明によれば、回動規制部が、第１の面におけるアンテナの配置領域の略全てに亘る板状に形成されていることにより、当該アンテナの不要な回動を確実に防止することができる。また、このような回動規制部が形成されていることにより、ロッドをアンテナケース内に収納し、かつ、アンテナの第１の外面を第１の面に沿わせた場合には、回動規制部の起立方向の先端面とアンテナの第３の外面とが面一となるので、当該アンテナを回動規制部により保護することができるだけでなく、電子機器の凹凸を一層少なくすることができる。従って、電子機器の携帯性を一層向上することができる。
【００１７】
本発明では、前記第２の面は、当該電子機器の背面側に位置し、前記回動規制部は、前記アンテナの正面側への回動を規制する寸法を有することが好ましい。
本発明によれば、アンテナケースを回動させた場合、当該アンテナケースは、背面側とは反対側、すなわち、正面側には向かないこととなる。これによれば、電子機器の正面側が使用者に対向するように、電子機器が使用者に保持された場合に、使用者側にアンテナが向くことを防ぐことができる。従って、使用者側にアンテナが向くことによる不快感を生じさせないようにすることができる。
【発明を実施するための最良の形態】
【００１８】
以下、本発明の一実施形態を図面に基づいて説明する。
〔情報処理システム１の構成〕
図１は、本実施形態に係る情報処理システム１の構成を示す図である。図２は、情報処理システム１を構成する情報処理装置２とチューナユニット３とを分離した状態を示す図である。
情報処理システム１は、図１及び図２に示すように、情報処理装置２と、当該情報処理装置２に接続されるチューナユニット３とを備え、チューナユニット３で受信した電波に含まれる画像情報及び音声情報に基づく画像及び音声を、情報処理装置２により表示及び出力するものである。
【００１９】
〔情報処理装置２の構成〕
このうち、情報処理装置２は、内部に収納された光ディスク及び半導体メモリカード等の記録媒体からプログラムを読み出して実行する携帯情報端末として構成されている。この情報処理装置２は、プログラムの他、当該記録媒体に記録された動画や静止画、及び、チューナユニット３から入力する画像情報及び音声情報を処理し、内部に設けられた液晶パネル２１Ａ１にて当該画像情報に係る画像を形成表示するほか、当該音声情報に係る音声をスピーカから出力する。
【００２０】
図３は、情報処理装置２を上方から見た斜視図である。
このような情報処理装置２は、図３に示すように、扁平横長矩形状で、両端部が円弧状に形成された筐体２１を備えて構成されている。
筐体２１の正面２１Ａには、中央位置に横長矩形状の液晶パネル２１Ａ１が設けられている。また、正面２１Ａ及び上面２１Ｂには、当該情報処理装置２を操作するための操作手段２１Ａ２である各キー２１Ａ２１〜２１Ａ２９，２１Ｂ１Ｌ，２１Ｂ１Ｒが配置されている。これらキーは、液晶パネル２１Ａ１に表示されたメニュー項目の選択やゲームの進行等に用いられる方向キーや決定キー等を含んで構成されている。
【００２１】
また、上面２１Ｂの略中央には、チューナユニット３等の外部機器を接続するための接続端子２１Ｂ２が設けられている。この接続端子２１Ｂ２は、本実施形態では、ＵＳＢ（Universal Serial Bus）規格に準拠したｍｉｎｉＢ端子が挿抜可能に構成されている。また、この接続端子２１Ｂ２を挟むように、開口を介して電極が露出した電力供給端子２１Ｂ３が設けられている。さらに、これら電力供給端子２１Ｂ３の外側で、筐体２１の左側には、接続端子２１Ｂ２に接続された外部機器を固定するねじ（図示省略）が螺合するねじ穴２１Ｂ４が形成され、右側には、外部機器に設けられた位置決めピン（図示省略）が挿入されるピン挿入口２１Ｂ５が形成されている。なお、本実施形態では、上面２１Ｂの左側にねじ穴２１Ｂ４が、また、右側にピン挿入口２１Ｂ５が形成されているが、左右が逆でもよく、また、ピン挿入口２１Ｂ５が形成された位置にねじ穴が形成された構成としてもよい。
【００２２】
上面２１Ｂにおいて、キー２１Ｂ１Ｌと、ねじ穴２１Ｂ４との間には、受光窓２１Ｂ６が設けられ、筐体２１内には、当該受光窓２１Ｂ６を介して他の外部機器と赤外線通信を行う赤外線通信モジュール（図示省略）が設けられている。
また、キー２１Ｂ１Ｒと、ピン挿入口２１Ｂ５との間には、筐体２１の背面側に設けられた蓋部材２１Ｂ８を開放するイジェクトスイッチ２１Ｂ７が設けられている。このイジェクトスイッチ２１Ｂ７を、上面２１Ｂに沿って摺動させると、筐体２１の背面側に設けられた蓋部材２１Ｂ８が筐体２１の背面側に向かって開き、光ディスクを収納するためのディスク収納口（図示省略）が開放される。
【００２３】
〔チューナユニット３の構成〕
チューナユニット３は、本発明の電子機器に相当し、情報処理装置２の接続端子２１Ｂ２に接続される外部機器として構成されている。具体的に、チューナユニット３は、本実施形態では、１セグメント放送（携帯電話・移動体端末向けの１セグメント部分受信サービス）に係る電波を受信し、当該電波に含まれる画像情報及び音声情報を処理して、処理した各情報を情報処理装置２に出力する。このチューナユニット３は、図２に示すように、電波を受信する受信モジュール（図示省略）を内部に収納する筐体４と、当該受信モジュールに接続され、かつ、筐体４の外側に露出するアンテナ５（図４〜図６参照）とを備えて構成されている。
【００２４】
〔アンテナ５の構成〕
図４は、チューナユニット３の一部を背面側から見た斜視図である。図５は、チューナユニット３に設けられたアンテナ５を引き伸ばした状態を示す図である。また、図６は、アンテナ５の構成を示す図である。
ここで、アンテナ５の構成について、先に説明する。
アンテナ５は、チューナユニット３を構成する筐体４の後述する取付面部４４に取り付けられる。詳述すると、アンテナ５は、チューナユニット３を情報処理装置２に取り付けた際に、当該チューナユニット３の使用者に対向する側とは反対側である背面側に取り付けられている。
【００２５】
このアンテナ５は、図４〜図６に示すように、当該取付面部４４に固定される接続部５１、アンテナケース５２、第１ロッド５３、第２ロッド５４及びアンテナトップ５５を備えて構成されている。なお、本実施形態のアンテナ５は、アンテナケース５２の接続部５１側の端部からアンテナトップ５５の先端までの寸法が、当該アンテナケース５２とアンテナトップ５５とを互いに当接した場合に略４７ｍｍとなるように設定され、また、アンテナケース５２から各ロッド５３，５４を最大に引き伸ばした場合に略９９ｍｍとなるように設定されている。
【００２６】
接続部５１は、図６に示すように、筐体４に固定される略円筒状の固定部５１１と、当該固定部５１１に対して当該固定部５１１の軸方向を中心として回動自在に設けられたジョイント部５１２とを備えている。
固定部５１１は、後述する取付面部４４に形成された穴部４４１に挿入され、当該穴部４４１にて接着固定される。
ジョイント部５１２は、可倒式ジョイントとして構成されており、アンテナケース５２を固定部５１１の軸方向に直交する方向を中心として回動自在に支持する。
【００２７】
アンテナケース５２は、第１ロッド５３及び第２ロッド５４が収納されるロッド収納部材５２１と、当該ロッド収納部材５２１の外面を覆うケース部材５２２とを備えて構成されている。
ロッド収納部材５２１は、内部が中空なステンレス製の略円筒状部材として構成されている。詳述すると、ロッド収納部材５２１の内部形状は、後述する第１ロッド５３の外面の形状に合わせるように形成されている。このロッド収納部材５２１における接続部５１側とは反対側の端部には、図示を省略したが、内部に収納された第１ロッド５３の抜けを防止するためのストッパが設けられている。
【００２８】
ケース部材５２２は、金属を含まない合成樹脂により、断面視正方形状の略角柱状に形成されている。すなわち、ケース部材５２２は、底面５２２１、背面５２２２、上面５２２３、正面５２２４及び当接面５２２５を有している。これら各面５２２１〜５２２５は、それぞれ平坦に形成されている。
このうち、底面５２２１は、アンテナ５を筐体４に沿うように配置した状態（アンテナ収納状態）で、当該筐体４の取付面部４４に当接する面である。
背面５２２２は、底面５２２１に直交する面であり、チューナユニット３を情報処理装置２に取り付けた場合には、アンテナ収納状態で、使用者とは反対側に位置する面である。
【００２９】
上面５２２３は、底面５２２１とは反対側で、かつ、当該底面５２２１と略平行に形成されている。
正面５２２４は、背面５２２２とは反対側で、かつ、当該背面５２２２と略平行に形成されており、アンテナ収納状態では、筐体４の取付面部４４に形成された後述する回動規制部４４２の背面に当接する面である。
当接面５２２５は、各面５２２１〜５２２４と略直交し、かつ、ケース部材５２２におけるアンテナトップ５５と対向する面であり、第１ロッド５３及び第２ロッド５４を、それぞれロッド収納部材５２１内に収納した際に、当該アンテナトップ５５の後述する当接面５５５（図５及び図６参照）と当接する。
また、このようなケース部材５２２には、上面５２２３における背面５２２２側の略１／３の領域、及び、背面５２２２における上面５２２３側の略１／３の領域がケース部材５２２の軸方向に沿って切り欠かれた面取部５２２Ａが形成されている。
【００３０】
第１ロッド５３及び第２ロッド５４は、それぞれステンレスにより略円筒状に形成され、当該第１ロッド５３は、図５及び図６に示すように、ロッド収納部材５２１内に、また、第２ロッド５４は、第１ロッド５３内に、それぞれ摺動自在に設けられている。これら第１ロッド５３及び第２ロッド５４のうち、第１ロッド５３のロッド収納部材５２１からの引出方向先端側（接続部５１とは反対側）には、第１ロッド５３からの第２ロッド５４の抜けを防止するためのストッパ５３１が設けられ、また、第２ロッド５４の引出方向先端側には、アンテナトップ５５が取り付けられている。
【００３１】
アンテナトップ５５は、アンテナ５を引き伸ばす際に、使用者により摘まれる部分であり、前述のケース部材５２２と同じ材料により、当該ケース部材５２２と同じ断面寸法及び断面形状を有する略角柱状に形成されている。
このようなアンテナトップ５５には、ケース部材５２２の底面５２２１、背面５２２２、上面５２２３及び正面５２２４にそれぞれ沿う底面５５１、背面５５２、上面５５３及び正面５５４が形成されている。これら底面５５１、背面５５２、上面５５３及び正面５５４は、各ロッド５３，５４をアンテナケース５２内に収納したロッド収納状態では、それぞれ、ケース部材５２２の底面５２２１、背面５２２２、上面５２２３及び正面５２２４と面一となる。
【００３２】
また、アンテナトップ５５には、ケース部材５２２の当接面５２２５に対向する当接面５５５が形成され、また、当該当接面５５５とは反対側の面であり、かつ、各ロッド５３，５４の引出方向の先端の面である先端面５５６が形成されている。このうち、当接面５５５は、ロッド収納状態で、ケース部材５２２に形成された当接面５２２５に当接する。
さらに、アンテナトップ５５には、ケース部材５２２と同様に、背面５５２及び上面５５３のそれぞれ近接する側の略１／３の領域が切り欠かれた面取部５５Ａが形成されている。この面取部５５Ａは、ロッド収納状態で、ケース部材５２２に形成された面取部５２２Ａと面一となる。
【００３３】
〔筐体４の構成〕
筐体４は、図２、図４及び図５に示すように、正面部４１（図２）、下面部４２（図２）、背面部４３（図４及び図５）、取付面部４４（図４及び図５）及び左右一対の側面部４５，４６（図４及び図５）を有する全体略直方体形状に形成されている。そして、これら正面部４１、背面部４３、取付面部４４及び左右の側面部４５，４６は、それぞれ略平坦な面として形成されている。
このうち、正面部４１は、チューナユニット３が接続された情報処理装置２に設けられた液晶パネル２１Ａ１を観察できるように、使用者が当該情報処理装置２を保持した際に、使用者に対向する面を構成する。
また、正面部４１及び当該正面部４１と略平行に形成された背面部４３と、下面部４２、取付面部４４及び左右の側面部４５，４６とは、それぞれ略直交する。
【００３４】
下面部４２は、図２に示すように、情報処理装置２の上面２１Ｂに対向する面である。
この下面部４２には、情報処理装置２の接続端子２１Ｂ２及び電力供給端子２１Ｂ３に接続される接続端子４２１及び当該接続端子４２１を挟む一対の電力入力端子４２２が突設されている。この接続端子４２１は、ＵＳＢ規格に準拠したｍｉｎｉＢ端子で構成されている。すなわち、チューナユニット３は、ＵＳＢ機器として構成されている。また、電力入力端子４２２は、情報処理装置２から入力する電力を、チューナユニット３に供給する。
【００３５】
さらに、下面部４２には、一対の電力入力端子４２２を挟むように、ねじ４２３及び位置決めピン４２４が設けられている。これらのうち、ねじ４２３は、下面部４２における左側に形成され、また、位置決めピン４２４は、右側に設けられている。そして、これらねじ４２３及び位置決めピン４２４の位置は、それぞれ、情報処理装置２に形成されたねじ穴２１Ｂ４及びピン挿入口２１Ｂ５の位置に対応する。
背面部４３の取付面部４４側の端部における略中央には、当該取付面部４４より上方に突出した係止部４３１が形成されている。この係止部４３１は、後述するアンテナ収納状態で、アンテナケース５２の背面５２２に当接して係止し、当該アンテナケース５２が、取付面部４４に沿って背面側に回動することを規制する。これにより、アンテナケース５２の不要な回動が抑えられる。
【００３６】
図４及び図５に示すように、取付面部４４は、下面部４２とは反対側に形成されている。この取付面部４４の左側（図４及び図５における右側）端部近傍には、前述のアンテナ５の接続部５１を構成する固定部５１１が挿入される略円形状の穴部４４１が形成されており、当該固定部５１１は、穴部４４１にて接着固定される。すなわち、この取付面部４４に、アンテナ５は取り付けられる。
また、取付面部４４の正面部４１側の端縁部分には、取付面部４４の長手方向（左右方向）の全域に亘って、取付面部４４から面外方向に起立した板状の回動規制部４４２が形成されている。この回動規制部４４２は、正面側が正面部４１に接続され、左右側が、それぞれ左右の側面部４５，４６に接続されている。
【００３７】
このような回動規制部４４２は、チューナユニット３を持ち運ぶ際にアンテナ５を保護するとともに、当該アンテナ５のアンテナトップ５５が、正面部４１側、すなわち、使用者側に向かないようにアンテナケース５２の回動を規制する。このため、回動規制部４４２における取付面部４４からの起立方向の先端面である上面４４２１は、前述のジョイント部５１２を中心としてアンテナケース５２を取付面部４４から起立させるように回動させた場合に、当該アンテナケース５２のジョイント部５１２側の端部よりも高い位置となるように形成されている。なお、アンテナケース５２の回動範囲については、後に詳述する。
【００３８】
〔アンテナ収納状態におけるアンテナ５の配置〕
前述のように、第２ロッド５４を第１ロッド５３内に収納し、当該第１ロッド５３をアンテナケース５２のロッド収納部材５２１内に収納し、かつ、当該アンテナケース５２を構成するケース部材５２２の当接面５２２５と、アンテナトップ５５の当接面５５５とを当接させたロッド収納状態では、ケース部材５２２の底面５２２１、背面５２２２、上面５２２３及び正面５２２４は、アンテナトップ５５の底面５５１、背面５５２、上面５５３及び正面５５４と面一となる。このようなロッド収納状態では、アンテナ５におけるアンテナケース５２からアンテナトップ５５に至る部分が、１つの角柱状体と見ることができる。
【００３９】
このようなロッド収納状態で、ケース部材５２２の底面５２２１及びアンテナトップ５５の底面５５１により形成されるアンテナ５の底面５Ａを、筐体４の取付面部４４に当接させ、かつ、当該ケース部材５２２の正面５２２４及びアンテナトップ５５の正面５５４により形成されるアンテナ５の正面５Ｂを、回動規制部４４２の背面に当接させたアンテナ収納状態（図４に示す状態）では、アンテナ５におけるケース部材５２２の背面５２２２及びアンテナトップ５５の背面５５２により形成されるアンテナ５の背面５Ｃは、筐体４の背面部４３と面一となる。
【００４０】
また、このアンテナ収納状態では、アンテナトップ５５の先端面５５６（筐体４の右側面部４６側の面）は、筐体４の右側面部４６と面一となる。
さらに、このアンテナ収納状態では、ケース部材５２２の上面５２２３及びアンテナトップの上面５５３により形成されるアンテナ５の上面５Ｄは、回動規制部４４２の上面４４２１と面一となる。
すなわち、アンテナ５における底面５Ａ、背面５Ｃ、先端面５５６及び上面５Ｄは、それぞれ本発明の第１の外面、第２の外面、アンテナトップの先端面及び第３の外面に相当し、また、筐体４における取付面部４４、背面部４３、右側面部４６及び上面４４２１は、それぞれ、本発明の第１の面、第２の面、第３の面及び回動規制部の先端面に相当する。なお、このアンテナ収納状態では、アンテナ５の接続部５１を構成するジョイント部５１２により、ケース部材５２２の底面５２２１が、取付面部４４に当接する方向に付勢されている。
【００４１】
〔アンテナケース５２の回動範囲〕
ここで、アンテナケース５２の回動範囲について詳述する。
回動規制部４４２の高さ寸法（取付面部４４からの突出方向の寸法）は、前述のように、当該回動規制部４４２の上面４４２１が、アンテナケース５２を取付面部４４の面外方向と略平行となるように起立させた際の当該アンテナケース５２のジョイント部５１２側の端部の位置より高くなるように設定されている。
また、回動規制部４４２は、アンテナ５が配置される取付面部４４における正面部４１側の位置に、当該取付面部４４の長手方向全域に亘って形成されている。具体的に、回動規制部４４２の長手方向の寸法（取付面部４４に沿う方向の寸法）は、アンテナケース５２及びアンテナトップ５５のロッド引出方向の寸法に、ジョイント部５１２の中心からアンテナケース５２に至るまでの寸法の２倍以上の寸法を加えた寸法に設定されている。
【００４２】
この回動規制部４４２により、アンテナ収納状態から、アンテナケース５２を正面側に回動させることが防止され、これにより、アンテナトップ５５が回動規制部４４２より正面側に位置することが規制される。また、アンテナケース５２を、ジョイント部５１２を中心として、取付面部４４に沿って左側面部４５側に回動させた場合でも、アンテナトップ５５が回動規制部４４２より正面側に位置することが規制される。
さらに、アンテナケース５２を起立させた状態で、ジョイント部５１２を中心として回動させた場合でも、当該アンテナケース５２のジョイント部５１２側の端部が回動規制部４４２に当接することにより、アンテナケース５２が正面側に傾斜して、アンテナトップ５５が回動規制部４４２より正面側に位置することが規制される。
従って、アンテナケース５２の回動範囲は、ジョイント部５１２を中心とし、チューナユニット３における背面側でかつ上面側の略１／４球の範囲内に設定され、これにより、当該アンテナケース５２からのロッド５３，５４の引出方向が、筐体４の正面部４１側に位置する使用者側に向かうことがない。
【００４３】
以上のような本実施形態の情報処理システム１によれば、以下の効果を奏することができる。
（１）チューナユニット３に設けられたアンテナ５において、第１ロッド５３及び第２ロッド５４を収納するアンテナケース５２と、当該第２ロッド５４の引出方向先端側に取り付けられ、かつ、ロッド収納状態でアンテナケース５２の当接面５２２５に当接する当接面５５５を有するアンテナトップ５５とは、それぞれ、同じ断面寸法及び同じ断面多角形形状を有する略角柱状に形成されている。これによれば、アンテナケース５２及びアンテナトップ５５が円筒状に形成されている場合に比べ、これらを掴みやすくすることができる。従って、アンテナ長の調節を容易に行うことができる。
また、このような構成により、ロッド収納状態では、アンテナケース５２からアンテナトップ５５までの部位を、１つの角柱状体と見ることができる。従って、アンテナ５のデザイン性を向上することができる。
【００４４】
（２）アンテナケース５２は、第１ロッド５３及び第２ロッド５４を収納するロッド収納部材５２１と、当該ロッド収納部材５２１の外面を覆うケース部材５２２とを備えて構成されている。これによれば、それぞれが別部材で構成されていることにより、アンテナケース５２が一体品で構成されている場合に比べ、当該アンテナケース５２の強度を高めることができる。従って、アンテナケース５２に荷重が作用した場合でも、内部に設けられたロッド収納部材５２１及び各ロッド５３，５４の変形を防ぐことができ、これにより、アンテナ長の調節が妨げられることを防ぐことができる。
【００４５】
（３）アンテナケース５２を構成するケース部材５２２は、金属を含まない合成樹脂により形成されている。これによれば、当該金属により、アンテナ５による電波の受信機能の低下を防ぐことができるほか、当該ケース部材５２２に対する印刷及び塗装等の加工を容易に行うことができる。従って、アンテナ５のデザイン性を一層向上することができる。
【００４６】
（４）アンテナケース５２を構成するロッド収納部材５２１と、当該ロッド収納部材５２１内に収納される第１ロッド５３及び第２ロッド５４は、それぞれ略円筒状に形成されている。詳述すると、ロッド収納部材５２１の内部形状は、第１ロッド５３の外部形状に合わせて形成されている。これによれば、ロッド収納部材５２１及び第１ロッド５３に対する第１ロッド５３及び第２ロッド５４のそれぞれの摺動係数を小さくすることができるので、第１ロッド５３及び第２ロッド５４の引出時及び収納時の抵抗を小さくすることができる。従って、第１ロッド５３及び第２ロッド５４の引出及び収納を容易に行うことができ、これにより、一層容易にアンテナ長を調節することができる。
【００４７】
（５）アンテナ５は、チューナユニット３を構成する筐体４の取付面部４４に取り付けられる。ここで、ロッド収納状態のアンテナ５の底面５Ａを取付面部４４に当接させ、かつ、アンテナ５の正面５Ｂを回動規制部４４２の背面に当接させたアンテナ収納状態では、ケース部材５２２の背面５２２２及びアンテナトップ５５の背面５５２により形成されるアンテナ５の背面５Ｃは、筐体４の背面部４３と面一となる。また、このアンテナ収納状態では、アンテナトップ５５の先端面５５６と、筐体４の右側面部４６とが面一となる。これによれば、チューナユニット３の凹凸を少なくすることができるので、チューナユニット３の携帯性及び美観を向上することができる。
【００４８】
（６）このようなアンテナ収納状態では、アンテナ５の正面５Ｂは、回動規制部４４２の背面に当接する。これによれば、アンテナ５が不要に回動することを防ぐことができるとともに、チューナユニット３の携帯時には、回動規制部４４２によりアンテナ５の正面５Ｂが保護されるので、当該アンテナ５の損傷を防ぐことができる。従って、チューナユニット３の携帯性を一層向上することができる。
【００４９】
（７）このような回動規制部４４２は、アンテナ収納状態では、当該回動規制部４４２の上面４４２１が、ケース部材５２２の上面５２２３及びアンテナトップ５５の上面５５３により形成されるアンテナ５の上面５Ｄと面一となるように形成されている。これによれば、前述のアンテナ５の背面５Ｃ及びアンテナトップ５５の先端面５５６と同様に、アンテナ収納状態でのチューナユニット３の凹凸を小さくすることができるだけでなく、回動規制部４４２により、アンテナ５を確実に保護することができる。従って、チューナユニット３の携帯性を一層向上することができる。
【００５０】
（８）また、回動規制部４４２により、アンテナ５の正面側への回動、すなわち、アンテナトップ５５を回動規制部４４２より正面側に位置させるような回動が規制される。これによれば、アンテナ５における各ロッド５３，５４の引出方向が、情報処理装置２を保持する使用者側に向かないようにすることができる。従って、当該使用者に、各ロッド５３，５４の引出方向が向き、かつ、アンテナトップ５５が使用者に近い位置となることによる不快感を生じさせないようにすることができる。
【００５１】
〔実施形態の変形〕
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００５２】
前記実施形態では、アンテナケース５２のロッド収納部材５２１内に収納されるロッド数は、第１ロッド５３及び第２ロッド５４の２つであるとしたが、本発明はこれに限らない。すなわち、ロッドは、少なくとも１つあればよく、このような場合、当該ロッドの引出方向先端側に、アンテナトップが取り付けられていればよい。
【００５３】
前記実施形態では、アンテナ５を構成するアンテナケース５２は、ロッド収納部材５２１と、ケース部材５２２とを備えて構成されるとしたが、本発明はこれに限らない。すなわち、アンテナケース５２は、一体品であってもよい。このような場合、アンテナによる受信特性を考慮して、当該アンテナケース全体を金属により構成すればよい。
【００５４】
前記実施形態では、第１ロッド５３、第２ロッド５４及びアンテナケース５２のロッド収納部材５２１を略円筒状に形成するとしたが、本発明はこれに限らず、それぞれが角柱状を有していてもよい。なお、各ロッド５３，５４及びロッド収納部材５２１が円筒状を有している場合には、各ロッド５３，５４の摺動係数を小さくすることができるので、当該ロッド５３，５４の引出時及び収納時の抵抗を小さくすることができる。
【００５５】
前記実施形態では、アンテナ５は、チューナユニット３の筐体４における取付面部４４に取り付けられるとしたが、本発明はこれに限らない。すなわち、筐体４におけるアンテナ５の取付位置は問わず、例えば、左側面部４５にアンテナ５を取り付けてもよい。
また、前記実施形態では、アンテナ収納状態で、アンテナ５の背面５Ｃと筐体４の背面部４３とが面一であるとし、また、アンテナトップ５５の先端面５５６と右側面部４６とが面一であるとし、さらに、アンテナ５の上面５Ｄと回動規制部４４２の上面４４２１とが面一であるとしたが、本発明はこれに限らない。すなわち、アンテナケース５２及びアンテナトップ５５における所定の面と、当該所定の面に沿う筐体４の面が、それぞれ面一でなくてもよい。
【００５６】
前記実施形態では、筐体４の取付面部４４には、当該取付面部４４に取り付けられたアンテナ５の軸方向が使用者に向かうのを防ぐ回動規制部４４２が形成されているとしたが、本発明はこれに限らず、当該軸方向が使用者側を向くことが可能な構成としてもよい。
【００５７】
前記実施形態では、アンテナ５は、情報処理装置２に接続される外部機器であるチューナユニット３に取り付けられるとしたが、本発明はこれに限らない。すなわち、外部機器としてではなく、独立して機能する電子機器に、本発明のアンテナが取り付けられている構成としてもよい。このような電子機器として、前述の情報処理装置２や、携帯電話機、携帯型テレビジョン受像機等の画像表示装置及びラジオ受信機等を例示することができる。
【産業上の利用可能性】
【００５８】
本発明は、アンテナを備えた電子機器に利用することができる。
【図面の簡単な説明】
【００５９】
【図１】本発明の一実施形態に係る情報処理システムの構成を示す図。
【図２】前記実施形態における情報処理装置とチューナユニットとを分離した情報処理システムを示す図。
【図３】前記実施形態における情報処理装置を上方から見た斜視図。
【図４】前記実施形態におけるチューナユニットを上方背面側から見た斜視図。
【図５】前記実施形態におけるチューナユニットが備えるアンテナのロッド引出状態を示す斜視図。
【図６】前記実施形態におけるアンテナの構成を示す図。
【符号の説明】
【００６０】
３…チューナユニット（電子機器）、４…筐体、５…アンテナ、４３…背面部（第２の面）、４４…取付面部（第１の面）、４６…右側面部（第３の面）、５１…接続部、５２…アンテナケース、５３…第１ロッド、５４…第２ロッド、５５…アンテナトップ、５Ａ…底面（第１の外面）、５Ｃ…背面（第２の外面）、５Ｄ…上面（第３の外面）、４４２…回動規制部、５２１…ロッド収納部材、５２２…ケース部材、５５５…当接面（アンテナトップの当接面）、５５６…先端面（アンテナトップの先端面）、４４２１…上面（回動規制部の先端面）、５２２５…当接面（アンテナケースの当接面）。
【図１】
2008193437.tif 000003
【図２】
2008193437.tif 000004
【図３】
2008193437.tif 000005
【図４】
2008193437.tif 000006
【図５】
2008193437.tif 000007
【図６】
2008193437.tif 000008